(57)【要約】【課題】  ユーザの視聴時間帯に録画番組を再生するよう自動的にスケジュール設定する録画再生装置を実現する。【解決手段】  ユーザ設定された再生視聴時間候補データが示す時間帯と重複する録画予約／視聴予約／再生予約を除外した予約候補データを求め、その内から録画時刻に最も近い時刻の予約候補データを再生予約データに設定する。あるいは、ユーザの視聴履歴または再生履歴を勘案して再生に適した時間帯を検索し、該当する時間帯を再生視聴時間候補データに設定する。再生視聴時間候補データが示す時間帯と重複する録画予約／視聴予約／再生予約を除外して予約候補データを求め、その内から録画時刻に最も近い時刻の予約候補データを再生予約データに設定する。【選択図】  図２
2005094175.tif 000002
【特許請求の範囲】
【請求項１】
再生視聴可能な時間帯を表す再生視聴時間候補データを設定する設定手段と、
前記設定手段により設定された再生視聴時間候補データが示す時間帯と重複する予約済み時間を除外して再生予約可能な時間を表す予約候補データを算出する算出手段と、
前記算出手段により算出された予約候補データの内、録画番組の録画時間長以上あり、かつ録画番組の録画日時に最も近い日時の予約候補データを当該録画番組の再生日時を表す再生予約データに設定し、その再生予約データが表す日時に前記録画番組の再生を指示する再生予約手段と
を具備することを特徴とする録画再生装置。
【請求項２】
ユーザの視聴履歴および再生履歴を記録する履歴記録手段と、前記履歴記録手段が記録する視聴履歴および再生履歴を勘案して再生予約可能な時間を表す再生視聴時間候補データを設定する設定手段と、
前記設定手段により設定された再生視聴時間候補データが示す時間帯と重複する予約済み時間を除外して再生予約可能な時間を表す予約候補データを算出する算出手段と、
前記算出手段により算出された予約候補データの内、録画番組の録画時間長以上あり、かつ録画番組の録画日時に最も近い日時の予約候補データを当該録画番組の再生日時を表す再生予約データに設定し、その再生予約データが表す日時に前記録画番組の再生を指示する再生予約手段と
を具備することを特徴とする録画再生装置。
【請求項３】
ユーザの視聴履歴および再生履歴を記録する履歴記録手段と、前記履歴記録手段が記録する視聴履歴および再生履歴を勘案して再生予約可能な時間を表す再生視聴時間候補データを設定する設定手段と、
繰り返し録画予約される番組がある場合、前記設定手段が設定する再生視聴時間候補データの内、繰り返し録画予約される番組の最新回が放送される以前の再生視聴時間候補データを選択する選択手段と、
前記選択手段により選択された再生視聴時間候補データが示す時間帯と重複する予約済み時間を除外して再生予約可能な時間を表す予約候補データを算出する算出手段と、
前記算出手段により算出された予約候補データの内、繰り返し録画予約にて前回録画された番組の録画時間長以上あり、かつ当該番組の録画日時に最も近い日時の予約候補データを再生日時を表す再生予約データに設定し、その再生予約データが表す日時に、繰り返し録画予約にて前回録画された番組の再生を指示する再生予約手段と
を具備することを特徴とする録画再生装置。
【請求項４】
再生視聴可能な時間帯を表す再生視聴時間候補データを設定する設定ステップと、
前記設定ステップにて設定された再生視聴時間候補データが示す時間帯と重複する予約済み時間を除外して再生予約可能な時間を表す予約候補データを算出する算出ステップと、
前記算出ステップにて算出された予約候補データの内、録画番組の録画時間長以上あり、かつ録画番組の録画日時に最も近い日時の予約候補データを当該録画番組の再生日時を表す再生予約データに設定し、その再生予約データが表す日時に前記録画番組の再生を指示する再生予約ステップと
をコンピュータで実行させることを特徴とする録画再生プログラム。
【請求項５】
ユーザの視聴履歴および再生履歴を記録する履歴記録ステップと、
前記履歴記録ステップにて記録された視聴履歴および再生履歴を勘案して再生予約可能な時間を表す再生視聴時間候補データを設定する設定ステップと、
前記設定ステップにて設定された再生視聴時間候補データが示す時間帯と重複する予約済み時間を除外して再生予約可能な時間を表す予約候補データを算出する算出ステップと、
前記算出ステップにて算出された予約候補データの内、録画番組の録画時間長以上あり、かつ録画番組の録画日時に最も近い日時の予約候補データを当該録画番組の再生日時を表す再生予約データに設定し、その再生予約データが表す日時に前記録画番組の再生を指示する再生予約ステップと
をコンピュータで実行させることを特徴とする録画再生プログラム。
【請求項６】
ユーザの視聴履歴および再生履歴を記録する履歴記録ステップと、
前記履歴記録ステップにて記録された視聴履歴および再生履歴を勘案して再生予約可能な時間を表す再生視聴時間候補データを設定する設定ステップと、
繰り返し録画予約される番組がある場合、前記設定ステップにて設定される再生視聴時間候補データの内、繰り返し録画予約される番組の最新回が放送される以前の再生視聴時間候補データを選択する選択ステップと、
前記選択ステップにて選択された再生視聴時間候補データが示す時間帯と重複する予約済み時間を除外して再生予約可能な時間を表す予約候補データを算出する算出ステップと、
前記算出ステップにて算出された予約候補データの内、繰り返し録画予約にて前回録画された番組の録画時間長以上あり、かつ当該番組の録画日時に最も近い日時の予約候補データを再生日時を表す再生予約データに設定し、その再生予約データが表す日時に、繰り返し録画予約にて前回録画された番組の再生を指示する再生予約ステップと
をコンピュータで実行させることを特徴とする録画再生プログラム。
【発明の詳細な説明】
【技術分野】
【０００１】
本発明は、ユーザが視聴すると思われる時間帯に録画素材の再生予約を自動的に行う録画再生装置および録画再生プログラムに関する。
【背景技術】
【０００２】
多チャンネル化されたデジタル放送では、ＥＰＧと呼ばれる電子番組ガイドを用いてユーザが自分の見たい番組を選択して視聴したり録画後に再生視聴する場合が多い。放送番組を録画して再生視聴する装置として、例えば特許文献１にはユーザの操作履歴からユーザの嗜好を表す好み情報を抽出し、抽出した好み情報に基づきＥＰＧ等の番組情報の評価を行い、その評価結果に従ってリアルタイムに受信される番組の視聴と録画のスケジュールを作成する技術が開示されている。
【０００３】
【特許文献１】特開２００２−３７４４６２号公報
【発明の開示】
【発明が解決しようとする課題】
【０００４】
ところで、上記特許文献１に開示の装置は、リアルタイムに受信される番組の視聴と録画のスケジュールを作成するだけなので、ユーザが視聴すると思われる時間帯に録画した番組を再生するよう自動的にスケジュール設定することができない、という問題がある。
本発明は、このような事情に鑑みてなされたもので、録画した番組をユーザが再生視聴すると思われる時間帯に自動的に再生するようスケジュール設定することができる録画再生装置および録画再生プログラムを提供することを目的としている。
【課題を解決するための手段】
【０００５】
上記目的を達成するため、請求項１に記載の発明では、再生視聴可能な時間帯を表す再生視聴時間候補データを設定する設定手段と、前記設定手段により設定された再生視聴時間候補データが示す時間帯と重複する予約済み時間を除外して再生予約可能な時間を表す予約候補データを算出する算出手段と、前記算出手段により算出された予約候補データの内、録画番組の録画時間長以上あり、かつ録画番組の録画日時に最も近い日時の予約候補データを当該録画番組の再生日時を表す再生予約データに設定し、その再生予約データが表す日時に前記録画番組の再生を指示する再生予約手段とを具備することを特徴とする。
【０００６】
請求項２に記載の発明では、ユーザの視聴履歴および再生履歴を記録する履歴記録手段と、前記履歴記録手段が記録する視聴履歴および再生履歴を勘案して再生予約可能な時間を表す再生視聴時間候補データを設定する設定手段と、前記設定手段により設定された再生視聴時間候補データが示す時間帯と重複する予約済み時間を除外して再生予約可能な時間を表す予約候補データを算出する算出手段と、前記算出手段により算出された予約候補データの内、録画番組の録画時間長以上あり、かつ録画番組の録画日時に最も近い日時の予約候補データを当該録画番組の再生日時を表す再生予約データに設定し、その再生予約データが表す日時に前記録画番組の再生を指示する再生予約手段とを具備することを特徴とする。
【０００７】
請求項３に記載の発明では、ユーザの視聴履歴および再生履歴を記録する履歴記録手段と、前記履歴記録手段が記録する視聴履歴および再生履歴を勘案して再生予約可能な時間を表す再生視聴時間候補データを設定する設定手段と、繰り返し録画予約される番組がある場合、前記設定手段が設定する再生視聴時間候補データの内、繰り返し録画予約される番組の最新回が放送される以前の再生視聴時間候補データを選択する選択手段と、前記選択手段により選択された再生視聴時間候補データが示す時間帯と重複する予約済み時間を除外して再生予約可能な時間を表す予約候補データを算出する算出手段と、前記算出手段により算出された予約候補データの内、繰り返し録画予約にて前回録画された番組の録画時間長以上あり、かつ当該番組の録画日時に最も近い日時の予約候補データを再生日時を表す再生予約データに設定し、その再生予約データが表す日時に、繰り返し録画予約にて前回録画された番組の再生を指示する再生予約手段とを具備することを特徴とする。
【０００８】
請求項４に記載の発明では、再生視聴可能な時間帯を表す再生視聴時間候補データを設定する設定ステップと、前記設定ステップにて設定された再生視聴時間候補データが示す時間帯と重複する予約済み時間を除外して再生予約可能な時間を表す予約候補データを算出する算出ステップと、前記算出ステップにて算出された予約候補データの内、録画番組の録画時間長以上あり、かつ録画番組の録画日時に最も近い日時の予約候補データを当該録画番組の再生日時を表す再生予約データに設定し、その再生予約データが表す日時に前記録画番組の再生を指示する再生予約ステップとをコンピュータで実行させることを特徴とする。
【０００９】
請求項５に記載の発明では、ユーザの視聴履歴および再生履歴を記録する履歴記録ステップと、前記履歴記録ステップにて記録された視聴履歴および再生履歴を勘案して再生予約可能な時間を表す再生視聴時間候補データを設定する設定ステップと、前記設定ステップにて設定された再生視聴時間候補データが示す時間帯と重複する予約済み時間を除外して再生予約可能な時間を表す予約候補データを算出する算出ステップと、前記算出ステップにて算出された予約候補データの内、録画番組の録画時間長以上あり、かつ録画番組の録画日時に最も近い日時の予約候補データを当該録画番組の再生日時を表す再生予約データに設定し、その再生予約データが表す日時に前記録画番組の再生を指示する再生予約ステップとをコンピュータで実行させることを特徴とする。
【００１０】
請求項６に記載の発明では、ユーザの視聴履歴および再生履歴を記録する履歴記録ステップと、前記履歴記録ステップにて記録された視聴履歴および再生履歴を勘案して再生予約可能な時間を表す再生視聴時間候補データを設定する設定ステップと、繰り返し録画予約される番組がある場合、前記設定ステップにて設定される再生視聴時間候補データの内、繰り返し録画予約される番組の最新回が放送される以前の再生視聴時間候補データを選択する選択ステップと、前記選択ステップにて選択された再生視聴時間候補データが示す時間帯と重複する予約済み時間を除外して再生予約可能な時間を表す予約候補データを算出する算出ステップと、前記算出ステップにて算出された予約候補データの内、繰り返し録画予約にて前回録画された番組の録画時間長以上あり、かつ当該番組の録画日時に最も近い日時の予約候補データを再生日時を表す再生予約データに設定し、その再生予約データが表す日時に、繰り返し録画予約にて前回録画された番組の再生を指示する再生予約ステップとをコンピュータで実行させることを特徴とする。
【発明の効果】
【００１１】
請求項１，４に記載の発明によれば、再生視聴可能な時間帯を表す再生視聴時間候補データを設定すると、再生視聴時間候補データが示す時間帯と重複する予約済み時間を除外して再生予約可能な時間を表す予約候補データを算出し、算出された予約候補データの内、録画番組の録画時間長以上あり、かつ録画番組の録画日時に最も近い日時の予約候補データを当該録画番組の再生日時を表す再生予約データに設定し、その再生予約データが表す日時に前記録画番組の再生を指示するので、録画した番組をユーザが再生視聴すると思われる時間帯に自動的に再生するようスケジュール設定することができる。
【００１２】
請求項２，５に記載の発明によれば、ユーザの視聴履歴および再生履歴を勘案して再生予約可能な時間を表す再生視聴時間候補データを設定すると、再生視聴時間候補データが示す時間帯と重複する予約済み時間を除外して再生予約可能な時間を表す予約候補データを算出し、算出された予約候補データの内、録画番組の録画時間長以上あり、かつ録画番組の録画日時に最も近い日時の予約候補データを当該録画番組の再生日時を表す再生予約データに設定し、その再生予約データが表す日時に前記録画番組の再生を指示するので、録画した番組をユーザが再生視聴すると思われる時間帯に自動的に再生するようスケジュール設定することができる。
【００１３】
請求項３，６に記載の発明によれば、繰り返し録画予約される番組があると、ユーザの視聴履歴および再生履歴を勘案して設定された再生視聴時間候補データの内、繰り返し録画予約される番組の最新回が放送される以前の再生視聴時間候補データを選択し、選択された再生視聴時間候補データが示す時間帯と重複する予約済み時間を除外して再生予約可能な時間を表す予約候補データを算出する。そして、算出された予約候補データの内、繰り返し録画予約にて前回録画された番組の録画時間長以上あり、かつ当該番組の録画日時に最も近い日時の予約候補データを再生日時を表す再生予約データに設定し、その再生予約データが表す日時に、繰り返し録画予約にて前回録画された番組の再生を指示するので、繰り返し録画予約される番組の最新回が放送される前に、繰り返し録画予約にて前回録画された番組を優先的に再生することができる。
【発明を実施するための最良の形態】
【００１４】
以下、図面を参照して本発明を実施するための最良の形態について説明する。
［第１の実施形態］
Ａ．構成
図１は第１の実施形態による録画再生装置の全体構成を示すブロック図である。この図において、１はユーザ操作に対応した赤外光信号を発生するリモートコントローラである。２はリモートコントローラ１が出力する赤外光信号を受信して操作イベントを発生するリモコンＩ／Ｆ部である。３はＣＰＵ等から構成される制御部である。制御部３はリモコンＩ／Ｆ部２から供給される操作イベントに応じて装置各部を制御する。本発明の要旨に係わる制御部３の処理動作については追って述べる。
【００１５】
４は図示せぬアンテナを介して受信されるテレビジョン放送信号を高周波増幅して出力する受信部である。５は受信部１の出力から制御部３が指定する放送局のテレビジョン放送信号を復調出力するチューナである。６はチューナ５の出力から映像・音声データ（含む付加データ）を多重分離する映像／音声データ分離部である。なお、付加データとは例えば受信したテレビジョン放送信号に重畳されるＥＰＧ（電子番組ガイド）情報を指す。
【００１６】
７は映像／音声データ分離部６から出力される映像データを解析・編集・復号化する映像信号解析部である。８は映像信号解析部７にて復号化された映像信号をテレビジョン受像機１４の映像入力に供給する映像信号出力部である。９は映像／音声データ分離部６から出力される音声データを解析・編集・復号化する音声信号解析部である。１０は音声信号解析部９にて復号化された音声信号をテレビジョン受像機１４の音声入力に供給する音声信号出力部である。１１は映像／音声データ分離部６から出力される付加データを解析・編集する情報データ解析部である。１２は情報データ解析部１１にて解析・編集された付加データをテレビジョン受像機１４の映像入力に供給する情報データ出力部である。１３は制御部３の指示に応じて、映像／音声データ分離部６が出力する映像・音声データ（含む付加データ）を番組素材として記録したり、または制御部３の指示に応じて、記録した番組素材を再生する記録再生部である。
【００１７】
Ｂ．動作
次に、図２〜図４を参照して、上記構成による録画再生装置の動作を説明する。まず、ユーザがリモートコントローラ１を操作して再生視聴時間設定を指示したとする。そうすると、制御部３はその操作イベントに基づき図２に示すステップＳＡ１に処理を進め、再生視聴時間設定画面ＳＧを発生してテレビジョン受像機１４に画面表示する。再生視聴時間設定画面ＳＧとは、図３に図示する一例のように、ユーザが再生視聴できる時間帯を月曜日から日曜日まで設定する画面である。次いで、ステップＳＡ２では、こうした画面ＳＧにおいて、ユーザがリモートコントローラ１を操作して再生視聴可能な時間帯を表す再生視聴時間候補データを入力する。そして、図３に示す再生視聴時間設定画面ＳＧにおいて再生視聴時間候補データを設定し終えると、ステップＳＡ３に進み、入力設定した再生視聴時間候補データを記録再生部１３の所定記録エリアに格納保存する。
【００１８】
再生視聴時間候補データを保存し終えると、制御部３はステップＳＡ４に進み、再生予約スケジュール時間の算出を開始する。続いて、ステップＳＡ５では、記録再生部１３から再生視聴時間候補データを読み出す。ステップＳＡ６では、再生視聴時間候補データが示す時間帯と重複する録画予約または視聴予約の有無を判断する。重複する録画予約または視聴予約が無ければ、判断結果は「ＮＯ」になり、後述するステップＳＡ９に進む。一方、重複する録画予約または視聴予約が有ると、判断結果は「ＹＥＳ」となり、ステップＳＡ７に進む。ステップＳＡ７では、再生視聴時間候補データが示す時間帯と重複する再生予約の有無を判断する。重複する再生予約が無ければ、判断結果は「ＮＯ」になり、後述するステップＳＡ９に進む。一方、重複する再生予約が有ると、判断結果は「ＹＥＳ」となり、ステップＳＡ８に進む。
【００１９】
ステップＳＡ８では、再生視聴時間候補データから予約が重複している時間データを減算する。続いて、ステップＳＡ９では、減算結果も含めた再生視聴時間候補データ内から録画時刻に最も近い時間データを取得する。次いで、ステップＳＡ１０では、取得した時間データが再生時間以上であるか否かを判断する。以下、取得した時間データが再生時間未満の場合と再生時間以上の場合とに分けて動作説明を進める。
【００２０】
＜取得した時間データが再生時間未満の場合＞
取得した時間データが再生時間未満であると、再生予約できないので、上記ステップＳＡ１０の判断結果は「ＮＯ」となり、ステップＳＡ１２に進む。ステップＳＡ１２では、取得した全ての時間データについて再生予約が可能であるかどうかを判定し終えたかどうかを判断する。判定し終えていなければ、ステップＳＡ１２の判断結果は「ＮＯ」となり、ステップＳＡ９に処理を戻す。以後、取得した全ての時間データについて再生予約が可能であるかどうかを判定し終えるまでステップＳＡ９〜ＳＡ１２を繰り返す。そして、データ終了となって判定が完了すると、ステップＳＡ１２の判断結果が「ＹＥＳ」になり、ステップＳＡ１３に進み、再生予約スケジュール時間を発生させずにステップＳＡ１４に進む。
【００２１】
＜取得した時間データが再生時間以上の場合＞
取得した全ての時間データについて再生予約が可能であるかどうかを判定するステップＳＡ９〜ＳＡ１２の処理を実行している過程で、取得した時間データが再生時間以上であると、上記ステップＳＡ１０の判断結果が「ＹＥＳ」になり、ステップＳＡ１１に進む。ステップＳＡ１１では、取得した時間データから開始時刻／終了時刻を設定して再生予約スケジュール時間を作成して保存する。そして、ステップＳＡ１４〜ＳＡ１５では、再生予約スケジュール時間算出を終了し、算出した再生予約スケジュール時間に基づき再生予約日時データを画面表示する。
【００２２】
次に、図４〜図５を参照して、上述したステップＳＡ４〜ＳＡ１５の処理を具体的に説明する。以下では、土曜日に録画した２時間３０分の番組を翌日の日曜日に再生予約する場合を説明する。先ず日曜日には、図４に図示するように、１２：００〜翌日４：００までが再生視聴できる時間帯を表す再生視聴時間候補データＡとして設定されているとする。さらに、この再生視聴時間候補データＡが示す時間帯の内、録画予約データＢおよび視聴予約データＣが既に設定済みであると、再生予約スケジュール時間Ｄ１，Ｄ２が候補となり、その内、録画日時に近い再生予約スケジュール時間Ｄ１が優先的に選択され、この再生予約スケジュール時間Ｄ１を表す再生予約日時データを、例えば図５に図示するような予約一覧画面にて表示する。
【００２３】
ユーザは、この予約一覧画面で再生開始を予定する日時を確認したら、リモートコントローラ１等に配設される「決定キー」を押下操作して再生予約日時データを記録再生部１３に記録保存させる予約設定を行う。そして、再生予約日時データに対応する日時になると、制御部３が再生予約しておいた録画番組の再生を記録再生部１３に指示する。これにより、録画した番組をユーザが再生視聴すると思われる時間帯に自動的に再生するようスケジュール設定することが可能になる。
【００２４】
［第２の実施形態］
次に、図６〜図１０を参照して第２の実施形態について説明する。第２の実施形態の構成は、上述した第１の実施形態と同一なので、その説明を省略する。第１の実施形態では、ユーザ設定された再生視聴時間候補データが示す時間帯と重複する録画予約／視聴予約／再生予約を除外して再生視聴時間候補データを求め、その内から録画時刻に最も近い時刻の再生視聴時間候補データを、再生予約スケジュールを表す再生予約日時データに設定した。
これに対し、第２の実施形態では、ユーザの視聴履歴または再生履歴を勘案して再生に適した時間帯を検索し、該当する時間帯を再生視聴時間候補データに設定する。この後、第１の実施形態と同様、再生視聴時間候補データが示す時間帯と重複する録画予約／視聴予約／再生予約を除外して再生視聴時間候補データを求め、その内から録画時刻に最も近い時刻の再生視聴時間候補データを、再生予約スケジュールを表す再生予約日時データに設定する。以下、こうした第２の実施形態の動作を説明する。
【００２５】
第２の実施形態では、図６に示すように、再生予約指示操作が行われるまでの間、ステップＳＢ１、ＳＢ２を繰り返し実行して、放送視聴／録画再生／録画実行する利用状況を曜日毎の履歴データとして記録再生部１３に保存しておく。これにより、例えば図８に図示する形態の履歴データが記録再生部１３に記録されたとする。なお、図８に図示する履歴データは、利用時間帯を「朝」、「昼」、「夜」および「深夜・早朝」に分け、利用頻度を３段階（○：頻度７０％以上、△：頻度４０〜６９％、×：頻度３９％以下）とした場合の一例である。
【００２６】
そして、ユーザが再生予約指示操作を行うと、ステップＳＢ３の判断結果が「ＹＥＳ」となり、ステップＳＢ４以降に処理を進め、保存しておいた履歴データから放送視聴／録画再生／録画実行の各使用状況を解析する。すなわち、ステップＳＢ４〜ＳＢ８では、検索終了するまでの間、曜日毎の履歴データを記録再生部１３から読み出しながら、放送視聴／録画再生／録画実行を行わなかった時間帯を検索し、該当する時間帯が検索されたら、その時間帯を再生視聴時間候補データとして記録再生部１３に保存する。そして、全ての履歴データについて検索し終えると、ステップＳＢ８の判断結果が「ＹＥＳ」になり、図７のステップＳＢ９に処理を進める。これにより、例えば図８に図示した履歴データの場合、図９に図示する時間帯が再生視聴時間候補データとして検索される。
【００２７】
再生視聴時間候補データが検索されると、制御部３は図７に示すステップＳＢ９に進み、再生視聴時間候補データが示す時間帯と重複する録画予約または視聴予約の有無を判断する。重複する録画予約または視聴予約が無ければ、判断結果は「ＮＯ」になり、後述するステップＳＢ１２に進む。一方、重複する録画予約または視聴予約が有ると、判断結果は「ＹＥＳ」となり、ステップＳＢ１０に進む。ステップＳＢ１０では、再生視聴時間候補データが示す時間帯と重複する再生予約の有無を判断する。重複する再生予約が無ければ、判断結果は「ＮＯ」になり、後述するステップＳＢ１２に進む。一方、重複する再生予約が有ると、判断結果は「ＹＥＳ」となり、ステップＳＢ１１に進む。
【００２８】
ステップＳＢ１１では、再生視聴時間候補データから予約が重複している時間データを減算する。続いて、ステップＳＢ１２では、減算結果も含めた再生視聴時間候補データ内から録画時刻に最も近い時間データを取得する。次いで、ステップＳＢ１３では、取得した時間データが再生時間以上であるか否かを判断する。以下、取得した時間データが再生時間未満の場合と再生時間以上の場合とに分けて動作説明を進める。
【００２９】
＜取得した時間データが再生時間未満の場合＞
取得した時間データが再生時間未満であると、再生予約できないので、上記ステップＳＢ１３の判断結果は「ＮＯ」となり、ステップＳＢ１４に進む。ステップＳＢ１４では、取得した全ての時間データについて再生予約が可能であるかどうかを判定し終えたかどうかを判断する。判定し終えていなければ、ステップＳＢ１４の判断結果は「ＮＯ」となり、ステップＳＢ１２に処理を戻す。以後、取得した全ての時間データについて再生予約が可能であるかどうかを判定し終えるまでステップＳＢ１２〜ＳＢ１４を繰り返す。そして、データ終了となって判定が完了すると、ステップＳＢ１４の判断結果が「ＹＥＳ」になり、ステップＳＢ１５に進み、再生予約スケジュール時間を発生させずにステップＳＢ１７に進む。
【００３０】
＜取得した時間データが再生時間以上の場合＞
取得した全ての時間データについて再生予約が可能であるかどうかを判定するステップＳＢ１２〜ＳＢ１４の処理を実行している過程で、取得した時間データが再生時間以上であると、上記ステップＳＢ１３の判断結果が「ＹＥＳ」になり、ステップＳＢ１６に進む。ステップＳＢ１６では、取得した時間データから開始時刻／終了時刻を設定して再生予約スケジュール時間を作成して保存する。そして、ステップＳＢ１７〜ＳＢ１８では、再生予約スケジュール時間算出を終了し、算出した再生予約スケジュール時間に基づき再生予約日時データを画面表示する。
【００３１】
したがって、例えば図９に図示した再生視聴時間候補データに基づき、金曜日に録画した２時間３０分の番組を土曜日に再生予約する場合には図１０に図示する関係で再生予約スケジュール時間が決定される。すなわち、図１０に図示するように、土曜日には１２：００〜翌日４：００までが再生視聴できる時間帯として再生視聴時間候補データＡ１，Ａ２が設定されている。そして、この再生視聴時間候補データＡ１，Ａ２が示す時間帯の内で録画予約データＢおよび視聴予約データＣが既に設定済みであると、再生予約スケジュール時間Ｄ１，Ｄ２が候補となり、その内、利用頻度が７０％以上の時間帯内の再生予約スケジュール時間Ｄ２が優先的に選択され、この再生予約スケジュール時間Ｄ２を表す再生予約日時データを予約一覧画面にて表示する。
【００３２】
この後、予約一覧画面で再生開始を予定する日時を確認したユーザがリモートコントローラ１等に配設される「決定キー」を押下操作して再生予約日時データを記録再生部１３に記録保存させる予約設定を行う。そして、再生予約日時データに対応する日時になると、制御部３が再生予約しておいた録画番組の再生を記録再生部１３に指示する。これにより、ユーザが視聴すると思われる時間帯に録画した番組を再生するよう自動的にスケジュール設定することが可能になる。
【００３３】
なお、第２の実施形態において、複数人で装置使用する場合にはユーザ別の操作履歴を作成しておき、各ユーザ毎の操作履歴から得られる再生視聴時間候補データと予め設定されるユーザ間の優先順位とを勘案してユーザ別に再生予約日時を設定することも可能である。
【００３４】
［第３の実施形態］
次に、図１１〜図１２を参照して第３の実施形態について説明する。第２の実施形態では、ユーザの視聴履歴または再生履歴を勘案して再生に適した時間帯を表す再生視聴時間候補データに設定し、この再生視聴時間候補データが示す時間帯と重複する録画予約／視聴予約／再生予約を除外して再生視聴時間候補データを求め、その内から録画時刻に最も近い時刻の再生視聴時間候補データを、再生予約スケジュールを表す再生予約日時データに設定した。
これに対し、第３の実施形態は、第２の実施形態と同様にユーザの視聴履歴または再生履歴を勘案して再生に適した時間帯を表す再生視聴時間候補データに設定した後、繰り返し録画予約される番組の有無を判断し、繰り返し録画予約される番組があれば、その番組の最新回が放送される前に、録画された前回の番組を優先的に再生できるように再生予約する。以下、こうした第３の実施形態の動作を説明する。
【００３５】
第３の実施形態では、上述した第２の実施形態と同様、放送視聴／録画再生／録画実行する利用状況を曜日毎の履歴データとして記録再生部１３に保存しておき、ユーザが再生予約指示操作を行うと、曜日毎の履歴データを記録再生部１３から読み出しながら、放送視聴／録画再生／録画実行を行わなかった時間帯を検索し、該当する時間帯が検索されたら、その時間帯を再生視聴時間候補データとして記録再生部１３に保存する。そして、全ての履歴データについて検索し終えると、図１１に示すステップＳＣ１に処理を進める。
【００３６】
ステップＳＣ１では、録画予約データ中に繰り返し録画予約が有るか否かを判断する。繰り返し録画予約が設定されていなければ、判断結果は「ＮＯ」になり、制御部３は後述するステップＳＣ３に処理を進める。これに対し、繰り返し録画予約が設定されていると、上記ステップＳＣ１の判断結果が「ＹＥＳ」になり、ステップＳＣ２に進む。ステップＳＣ２では、再生視聴時間候補データが示す時間帯が、繰り返し録画予約された番組の最新回の放送開始以前であるかどうかを判断する。再生視聴時間候補データが示す時間帯が、繰り返し録画予約された番組の最新回の放送開始以後の場合には、判断結果が「ＮＯ」となり、再生予約を行わずに本処理を完了させる。
【００３７】
一方、再生視聴時間候補データが示す時間帯が、繰り返し録画予約された番組の最新回の放送開始以前であると、上記ステップＳＣ２の判断結果は「ＹＥＳ」になり、ステップＳＣ３に進む。ステップＳＣ３では、再生視聴時間候補データが示す時間帯と重複する録画予約または視聴予約の有無を判断する。重複する録画予約または視聴予約が無ければ、判断結果は「ＮＯ」になり、後述するステップＳＣ６に進む。
これに対し、重複する録画予約または視聴予約が有ると、判断結果が「ＹＥＳ」となり、ステップＳＣ４に進む。ステップＳＣ４では、再生視聴時間候補データが示す時間帯と重複する再生予約の有無を判断する。重複する再生予約が無ければ、判断結果は「ＮＯ」になり、後述するステップＳＣ６に進み、重複する再生予約が有れば、判断結果が「ＹＥＳ」となり、ステップＳＣ５に進む。
【００３８】
ステップＳＣ５では、再生視聴時間候補データから予約が重複している時間データを減算する。続いて、ステップＳＣ６では、減算結果も含めた再生視聴時間候補データ内から録画時刻に最も近い時間データを取得する。次いで、ステップＳＣ７では、取得した時間データが再生時間以上であるか否かを判断する。以下、取得した時間データが再生時間未満の場合と再生時間以上の場合とに分けて動作説明を進める。
【００３９】
＜取得した時間データが再生時間未満の場合＞
取得した時間データが再生時間未満であると、再生予約できないので、上記ステップＳＣ７の判断結果は「ＮＯ」となり、ステップＳＣ８に進む。ステップＳＣ８では、取得した全ての時間データについて再生予約が可能であるかどうかを判定し終えたかどうかを判断する。判定し終えていなければ、判断結果は「ＮＯ」となり、ステップＳＣ６に処理を戻す。以後、取得した全ての時間データについて再生予約が可能であるかどうかを判定し終えるまでステップＳＣ６〜ＳＣ８を繰り返す。そして、データ終了となって判定が完了すると、ステップＳＣ８の判断結果が「ＹＥＳ」になり、ステップＳＣ９に進み、再生予約スケジュール時間を発生させずにステップＳＣ１１に進む。
【００４０】
＜取得した時間データが再生時間以上の場合＞
取得した全ての時間データについて再生予約が可能であるかどうかを判定するステップＳＣ６〜ＳＣ８の処理を実行している過程で、取得した時間データが再生時間以上であると、上記ステップＳＣ７の判断結果が「ＹＥＳ」になり、ステップＳＣ１０に進む。ステップＳＣ１０では、取得した時間データから開始時刻／終了時刻を設定して再生予約スケジュール時間を作成して保存する。そして、ステップＳＣ１１〜ＳＣ１２では、再生予約スケジュール時間算出を終了し、算出した再生予約スケジュール時間に基づき再生予約日時データを画面表示する。
【００４１】
このように、第３の実施形態によれば、ユーザの視聴履歴または再生履歴を勘案して再生に適した時間帯を表す再生視聴時間候補データに設定しておき、繰り返し録画予約される番組の有無を判断し、繰り返し録画予約される番組があれば、その番組の最新回が放送される前に優先的に再生予約するので、繰り返し録画予約にて前回録画された番組を最新回が放送される前に優先的に再生することができる。
【図面の簡単な説明】
【００４２】
【図１】第１の実施形態による録画再生装置の構成を示すブロック図である。
【図２】第１の実施形態による再生予約動作を示すフローチャートである。
【図３】再生視聴時間設定画面ＳＧの一例を示す図である。
【図４】再生予約の具体例を示す図である。
【図５】再生予約した結果を表示する予約一覧画面の一例を示す図である。
【図６】第２の実施形態による再生予約動作を示すフローチャートである。
【図７】第２の実施形態による再生予約動作を示すフローチャートである。
【図８】履歴データの一例を示す図である。
【図９】図８に図示した履歴データに基づき検索した再生視聴時間候補データを示す図である。
【図１０】第２の実施形態による再生予約の具体例を示す図である。
【図１１】第３の実施形態による再生予約動作を示すフローチャートである。
【符号の説明】
【００４３】
１  リモートコントローラ
２  リモコンＩ／Ｆ部
３  制御部
４  受信部
５  チューナ
６  映像／音声データ分離部
７  映像信号解析部
８  映像信号出力部
９  音声信号解析部
１０  音声信号出力部
１１  情報データ解析部
１２  情報データ出力部
１３  記録再生部
１４  テレビジョン受像機
【図１】
2005094175.tif 000003
【図２】
2005094175.tif 000004
【図３】
2005094175.tif 000005
【図４】
2005094175.tif 000006
【図５】
2005094175.tif 000007
【図６】
2005094175.tif 000008
【図７】
2005094175.tif 000009
【図８】
2005094175.tif 000010
【図９】
2005094175.tif 000011
【図１０】
2005094175.tif 000012
【図１１】
2005094175.tif 000013